(57)【要約】【課題】タッチスクリーンを経てのデータ入力を容易にするための方法、装置及びコンピュータプログラム製品を提供する。【解決手段】ユーザが自分の指をタッチスクリーンに置くと、ユーザがタッチスクリーンにタッチした物理的位置の近くでタッチスクリーンに表示される他のアイテムに対する位置にカーソルが表示される。カーソルは、今や、おそらくユーザの指で遮られるので、カーソルを含めて、タッチスクリーンに表示されるアイテムをシフト又はスクロールし、ユーザがタッチスクリーンにタッチした物理的位置からカーソルをオフセットさせる。同時に、タッチスクリーンに表示されるアイテムを拡大し、データ入力を更に容易にする。この点において、ユーザは、自分の指をシフト又は傾斜して、希望のカーソル配置を得るようにする。【選択図】図２【特許請求の範囲】
【請求項１】
タッチ感知入力装置上の物理的位置でユーザからの触覚入力を検出するステップと、
前記物理的位置の近くで前記タッチ感知入力装置上の相対的位置にカーソルを表示するステップと、
更なるユーザ対話を伴わずに、前記タッチ感知入力装置に表示された１つ以上のアイテムを並進移動して、前記カーソルの相対的位置を、前記検出された触覚入力の物理的位置からオフセットさせるステップと、
を備えた方法。
【請求項２】
前記タッチ感知入力装置に表示された１つ以上のアイテム間の距離を決定するステップを更に備え、前記アイテムは、少なくとも１つの距離が所定スレッシュホールド未満である場合だけ並進移動される、請求項１に記載の方法。
【請求項３】
前記所定スレッシュホールドは、平均的な指先の巾の規定部分を含む、請求項２に記載の方法。
【請求項４】
前記タッチ感知入力装置の垂直方向のどちらの半分に前記物理的位置が入るか決定するステップを更に備え、表示された１つ以上のアイテムを並進移動する前記ステップは、前記決定された垂直方向の半分に基づいて１つ以上のアイテムを上方又は下方にシフトすることを含む、請求項１に記載の方法。
【請求項５】
前記タッチ感知入力装置の水平方向のどちらの半分に前記物理的位置が入るか決定するステップを更に備え、表示された１つ以上のアイテムを並進移動する前記ステップは、前記決定された水平方向の半分に基づいて１つ以上のアイテムを左又は右へシフトすることを含む、請求項１に記載の方法。
【請求項６】
前記タッチ感知入力装置のどちらの象限に前記物理的位置が入るか決定するステップを更に備え、表示された１つ以上のアイテムを並進移動する前記ステップは、前記決定された象限に基づいて１つ以上のアイテムを上方又は下方及び左又は右にシフトすることを含む、請求項１に記載の方法。
【請求項７】
前記タッチ感知入力装置に表示された１つ以上のアイテムを拡大するステップを更に備えた、請求項１に記載の方法。
【請求項８】
表示された１つ以上のアイテムを並進移動する前記ステップは、前記触覚入力の物理的位置が前記タッチ感知入力装置の上縁に近い場合には、下方又は片側の少なくとも１つに１つ以上のアイテムをシフトし、さもなければ、表示された１つ以上のアイテムを並進移動する前記ステップは、１つ以上のアイテムを上方にシフトすることを含む、請求項１に記載の方法。
【請求項９】
前記タッチ感知入力装置に複数のアイテムが表示され、そして表示された１つ以上のアイテムを並進移動する前記ステップは、複数のアイテム全部を、上方、下方、左又は右の少なくとも１つにシフトすることを含む、請求項１に記載の方法。
【請求項１０】
タッチ感知入力装置上の物理的位置でユーザからの触覚入力を検出し、
前記物理的位置の近くで前記タッチ感知入力装置上の相対的位置にカーソルを表示し、
更なるユーザ対話を伴わずに、前記タッチ感知入力装置に表示された１つ以上のアイテムを並進移動して、前記カーソルの相対的位置を、前記検出された触覚入力の物理的位置からオフセットさせる、
というように構成されたプロセッサを備えた装置。
【請求項１１】
前記プロセッサは、更に、前記タッチ感知入力装置に表示された１つ以上のアイテム間の距離を決定するように構成され、前記１つ以上のアイテムは、少なくとも１つの距離が所定スレッシュホールド未満である場合だけ並進移動される、請求項１０に記載の装置。
【請求項１２】
前記所定スレッシュホールドは、平均的な指先の巾の規定部分を含む、請求項１１に記載の装置。
【請求項１３】
前記プロセッサは、更に、前記タッチ感知入力装置の垂直方向のどちらの半分に前記物理的位置が入るか決定するように構成され、表示された１つ以上のアイテムを並進移動することは、前記決定された垂直方向の半分に基づいて１つ以上のアイテムを上方又は下方にシフトすることを含む、請求項１０に記載の装置。
【請求項１４】
前記プロセッサは、更に、前記タッチ感知入力装置の水平方向のどちらの半分に前記物理的位置が入るか決定するように構成され、表示された１つ以上のアイテムを並進移動することは、前記決定された水平方向の半分に基づいて１つ以上のアイテムを左又は右へシフトすることを含む、請求項１０に記載の装置。
【請求項１５】
前記プロセッサは、更に、前記タッチ感知入力装置のどちらの象限に前記物理的位置が入るか決定するように構成され、表示された１つ以上のアイテムを並進移動することは、前記決定された象限に基づいて１つ以上のアイテムを上方又は下方及び左又は右にシフトすることを含む、請求項１０に記載の装置。
【請求項１６】
前記プロセッサは、更に、前記タッチ感知入力装置に表示された１つ以上のアイテムを拡大するように構成された、請求項１０に記載の装置。
【請求項１７】
表示された１つ以上のアイテムを並進移動するために、前記プロセッサは、更に、前記触覚入力の物理的位置が前記タッチ感知入力装置の上縁に近い場合には、下方又は片側の少なくとも１つに１つ以上のアイテムをシフトするように構成され、さもなければ、表示された１つ以上のアイテムを並進移動するために、前記プロセッサは、更に、１つ以上のアイテムを上方にシフトするように構成された、請求項１０に記載の装置。
【請求項１８】
前記タッチ感知入力装置に複数のアイテムが表示され、そして表示された１つ以上のアイテムを並進移動するために、前記プロセッサは、更に、複数のアイテム全部を、上方、下方、左又は右の少なくとも１つにシフトするように構成された、請求項１０に記載の装置。
【請求項１９】
コンピュータ読み取り可能なプログラムコード部分が記憶された少なくとも１つのコンピュータ読み取り可能な記憶媒体を含むコンピュータプログラム製品において、コンピュータ読み取り可能なプログラムコード部分は、
タッチ感知入力装置上の物理的位置でユーザからの触覚入力を検出するための第１の実行可能な部分と、
前記物理的位置の近くで前記タッチ感知入力装置上の相対的位置にカーソルを表示するための第２の実行可能な部分と、
更なるユーザ対話を伴わずに、前記タッチ感知入力装置に表示された１つ以上のアイテムを並進移動して、前記カーソルの相対的位置を、前記検出された触覚入力の物理的位置からオフセットさせるための第３の実行可能な部分と、
を備えたコンピュータプログラム製品。
【請求項２０】
前記コンピュータ読み取り可能なプログラムコード部分は、更に、前記タッチ感知入力装置に表示された１つ以上のアイテム間の距離を決定するための第４の実行可能な部分を備え、前記１つ以上のアイテムは、少なくとも１つの距離が所定スレッシュホールド未満である場合だけ並進移動される、請求項１９に記載のコンピュータプログラム製品。
【請求項２１】
前記所定スレッシュホールドは、平均的な指先の巾の規定部分を含む、請求項２０に記載のコンピュータプログラム製品。
【請求項２２】
前記コンピュータ読み取り可能なプログラムコード部分は、更に、前記タッチ感知入力装置の垂直方向のどちらの半分に前記物理的位置が入るか決定するための第４の実行可能な部分を備え、表示された１つ以上のアイテムを並進移動することは、前記決定された垂直方向の半分に基づいて１つ以上のアイテムを上方又は下方にシフトすることを含む、請求項１９に記載のコンピュータプログラム製品。
【請求項２３】
前記コンピュータ読み取り可能なプログラムコード部分は、更に、前記タッチ感知入力装置の水平方向のどちらの半分に前記物理的位置が入るか決定するための第４の実行可能な部分を備え、表示された１つ以上のアイテムを並進移動することは、前記決定された水平方向の半分に基づいて１つ以上のアイテムを左又は右へシフトすることを含む、請求項１９に記載のコンピュータプログラム製品。
【請求項２４】
前記コンピュータ読み取り可能なプログラムコード部分は、更に、前記タッチ感知入力装置のどちらの象限に前記物理的位置が入るか決定するための第４の実行可能な部分を備え、表示された１つ以上のアイテムを並進移動することは、前記決定された象限に基づいて１つ以上のアイテムを上方又は下方及び左又は右にシフトすることを含む、請求項１９に記載のコンピュータプログラム製品。
【請求項２５】
前記コンピュータ読み取り可能なプログラムコード部分は、更に、前記タッチ感知入力装置に表示された１つ以上のアイテムを拡大するための第４の実行可能な部分を備えた、請求項１９に記載のコンピュータプログラム製品。
【請求項２６】
前記第３の実行可能な部分は、前記触覚入力の物理的位置が前記タッチ感知入力装置の上縁に近い場合には、下方又は片側の少なくとも１つに１つ以上のアイテムをシフトするように構成され、さもなければ、前記第３の実行可能な部分は、１つ以上のアイテムを上方にシフトするように構成された、請求項１９に記載のコンピュータプログラム製品。
【請求項２７】
前記タッチ感知入力装置に複数のアイテムが表示され、そして前記第３の実行可能な部分は、複数のアイテム全部を、上方、下方、左又は右の少なくとも１つにシフトするように構成された、請求項１９に記載のコンピュータプログラム製品。
【請求項２８】
タッチ感知入力装置上の物理的位置でユーザからの触覚入力を検出するための手段と、
前記物理的位置の近くで前記タッチ感知入力装置上の相対的位置にカーソルを表示するための手段と、
更なるユーザ対話を伴わずに、前記タッチ感知入力装置に表示された１つ以上のアイテムを並進移動して、前記カーソルの相対的位置を、前記検出された触覚入力の物理的位置からオフセットさせるための手段と、
を備えた装置。
【請求項２９】
前記タッチ感知入力装置に表示された１つ以上のアイテム間の距離を決定するための手段を更に備え、前記アイテムは、少なくとも１つの距離が所定スレッシュホールド未満である場合だけ並進移動される、請求項２８に記載の装置。
【請求項３０】
前記所定スレッシュホールドは、平均的な指先の巾の規定部分を含む、請求項２９に記載の装置。
【請求項３１】
前記タッチ感知入力装置の垂直方向のどちらの半分に前記物理的位置が入るか決定するための手段を更に備え、表示された１つ以上のアイテムを並進移動する前記手段は、前記決定された垂直方向の半分に基づいて１つ以上のアイテムを上方又は下方にシフトする手段を含む、請求項２８に記載の装置。
【請求項３２】
前記タッチ感知入力装置の水平方向のどちらの半分に前記物理的位置が入るか決定するための手段を更に備え、表示された１つ以上のアイテムを並進移動する前記手段は、前記決定された水平方向の半分に基づいて１つ以上のアイテムを左又は右へシフトする手段を含む、請求項２８に記載の装置。
【請求項３３】
前記タッチ感知入力装置のどちらの象限に前記物理的位置が入るか決定するための手段を更に備え、表示された１つ以上のアイテムを並進移動する前記手段は、前記決定された象限に基づいて１つ以上のアイテムを上方又は下方及び左又は右にシフトする手段を含む、請求項２８に記載の装置。
【請求項３４】
前記タッチ感知入力装置に表示された１つ以上のアイテムを拡大するための手段を更に備えた、請求項２８に記載の装置。
【発明の詳細な説明】
【技術分野】
【０００１】
本発明の実施形態は、一般的に、電子装置のタッチスクリーンに係り、より詳細には、タッチスクリーンを経ての電子装置へのデータの入力を容易にするための技術に係る。
【背景技術】
【０００２】
技術の改良につれて、セルラー電話、パーソナルデジタルアシスタント（ＰＤＡ）、ページャー、等の電子装置は、益々小型化されると思われる。このサイズ減少に伴い、ほぼ必然的に、これら装置のディスプレイスクリーンのサイズも減少される。同時に、技術の別の進歩で、これらディスプレイスクリーンがそれに対応する電子装置のための入力装置として使用されている。多くの電子装置のディスプレイスクリーンは、タッチ感知入力装置又はタッチスクリーンである。しかしながら、ディスプレイは、時代と共に小さくなりつつあると思われるので、ディスプレイスクリーンをタッチ感知入力装置として使用することが若干困難になっている。これは、個人が自分の指を使用して、タッチスクリーンに表示された選択可能なアイテムを選択するように意図された場合に、特に言えることである。ユーザが、タッチスクリーンに表示された小さなアイテム上に自分の指を置いたときに、指は、おそらく、アイテムを完全に遮ると共に、表示された隣接アイテムの幾つかにオーバーラップする。その結果、どのアイテムをユーザが選択したかユーザが確かめることが不可能でないまでも困難である。
【０００３】
比較的小さなタッチ感知入力装置又はタッチスクリーンへのデータ入力を容易にするために多数の解決策が提案されている。しかしながら、これら解決策の各々は、少なくとも１つの欠点がある。１つの解決策は、アイテムを選択するカーソル又は他の手段が選択可能なアイテムに対してある接近距離内にあるときにタッチスクリーン上の選択可能なアイテムを動的に拡大することである。この解決策によれば、カーソルが選択可能なアイテムに対してある接近距離内に入ると、選択可能なアイテムの拡大バージョンを表示するウインドウが、選択可能なアイテムの真上にオープンする。カーソルが選択可能なアイテムのより近くへ移動するにつれて、カーソルが拡大ウインドウに達するまで選択可能なアイテムのウインドウサイズ及び倍率が増加する。この解決策の欠点は、選択可能なアイテムが単一の行及び列にあるのではなくタッチスクリーン全体にわたって分散されている場合に実施が困難なことである。特に、ユーザが選択したいアイテムが、他の選択可能なアイテムにより取り囲まれている場合には、カーソルがその意図されたアイテムの近くへ移動するときに、それを取り巻くアイテムの１つがおそらく拡大され、これにより、意図されたアイテムを見て選択することを、不可能でないまでも、潜在的に困難なものにする。
【０００４】
第１の解決策に対する前記欠点を解決する別の解決策は、ユーザがあるボタンを操作したときだけ選択可能なアイテムの拡大バージョンを表示するウインドウをオープンすることである。しかしながら、この解決策は、付加的なステップを必要とし、更に、データを入力するために両手操作で電子装置を操作することになり、理想的ではない。提案された第３の解決策は、ウインドウの下に何があるかの拡大ビューを含めてウインドウを表示し続けることである。この解決策では、ウインドウは、その縁が充分に画成されず、ウインドウの縁において倍率が滑らかに減少する。しかしながら、この解決策では、拡大ウインドウがカーソルと共に移動し、拡大ウインドウが不安定に、せかせか及びふらふら見えるようにし得る。それ故、この解決策は、タッチスクリーンへのデータ入力を容易にするものではない。
【０００５】
以上に加えて、上述した各解決策は、選択可能なアイテムの拡大バージョンを表示するウインドウが選択可能なアイテムの真上に現れるという点で、更に別の欠点がある。例えば、個人が自分の指を使用し、最も一般的には、（例えば、個人が電子装置を片手で操作する場合に）自分の親指を使用して、タッチスクリーン上のアイテムを選択する場合に、倍率、ひいては、ウインドウは、選択されるアイテムが個人の指の下から見えるようにするために相当に大きくなければならない。ディスプレイスクリーンの前記制限サイズが与えられると、大倍率のウインドウをもつことは、望ましくなく、実際上、ある環境では、不可能である。更に、個人の指の下を見ることができるように拡大ウインドウが充分大きくても、選択可能なアイテムの少なくとも一部分は、依然として、常に遮られることがある。
【０００６】
比較的小さなタッチ感知入力装置又はタッチ感知スクリーンへのデータ入力を容易にする解決策であって、前記欠点に対処する更に別の提案された解決策は、拡大又は非拡大のウインドウを、選択可能なアイテムの上、下、左、又は右へオフセットすることである。拡大の場合には、この解決策及び前記解決策は、グラフィックユーザインターフェイスの部分を拡大するのに、一般的に、セルラー電話のような電子装置で常に利用できないベクトルグラフィックを必要とし、従って、これらの解決策は、ある場合には、潜在的に考えられないものである。
【０００７】
更に、オリジナルビューのコンテンツがウインドウにおいて拡大される場合には、震えを含む指移動の振幅も拡大されることがある。例えば、ウインドウのコンテンツが、そのサイズを２倍（即ち、倍率２ｘ）にするように拡大される場合には、指移動がウインドウのコンテンツを２倍の速度で移動させる。これは、ウインドウ内のビューがせかせかして見えるようにし、制御を困難なものにする。この問題は、たとえビューの拡大が２：１であっても、動きの「利得」（即ち、ウインドウコンテンツの移動／指の移動）を１：１の比として保持することにより解消できる。不都合なことに、これは、ユーザがキャラクタのストリングを選択する（即ち、「ペイント」する）必要があるときに新たな問題を引き起こすことがある。特に、この状況においては、指がストリングの端に到達するときまでに、ウインドウ及びポインタは、ストリングに沿って途中にしかない。換言すれば、指及びポインタは、もはや同じアイテムを指していない。
【０００８】
加えて、オフセットウインドウを使用すると、コンテンツが拡大されるかどうかに関わらず、更に別の欠点を招く。特に、上述したように、タッチスクリーンのサイズがかなり小さい。その結果、オリジナル表示上に改良を与えるに足るほど大きくアイテムを表示する付加的なウインドウをスクリーン上に表示するに充分な余裕がない。加えて、オリジナルタッチスクリーン表示のコンテンツは、ユーザの指で遮られるだけでなく、オフセットウインドウによっても遮られる。データ入力を更に容易にするためにオフセットウインドウのサイズを増加するにつれて、オリジナルタッチスクリーン表示が益々遮られることになる。
【０００９】
提案されている更に別の解決策は、ユーザが自分の指を置く位置の真上に、ユーザが狙いをつけるために使用できる十字線のセットを設けることである。この解決策にも多数の欠点が存在する。特に、１つの欠点は、タッチスクリーン上のあるアイテムを選択するために自分の指をどこに置くべきかユーザがある程度推定することを強制することである。というのは、ユーザは、そのアイテムの位置においてスクリーンにもはや単純にタッチできないからである。更に、タッチスクリーンの縁の１つ付近の位置でアイテムを選択したりカーソルを置いたりすることが非常に困難である。
【発明の概要】
【発明が解決しようとする課題】
【００１０】
それ故、比較的小さなタッチ感知入力装置又はタッチスクリーンへのデータ入力を容易にする技術であって、少なくとも上述した欠点を克服する技術が要望される。
【課題を解決するための手段】
【００１１】
一般的に、本発明の実施形態は、とりわけ、タッチ感知入力装置又はタッチスクリーンを経て電子装置へのデータ入力を容易にするための方法であって、ユーザがタッチスクリーンにタッチしたときに、タッチスクリーンに表示されたアイテムを自動的にシフト又はスクロールして、ユーザがタッチスクリーン上にカーソルを置いた厳密な位置をユーザが容易に見られるようにする方法を提供することにより、改良を提供する。特に、一実施形態によれば、ユーザは、タッチスクリーン上の物理的位置においてタッチスクリーンにタッチする。この入力又は接触を検出すると、ユーザがタッチスクリーンにタッチした物理的位置の近くでタッチスクリーンに表示されるアイテム（例えば、アイコン、テキスト、等）に対する位置においてタッチスクリーンにカーソルが表示される。換言すれば、ユーザが自分の指を使用してタッチスクリーンにタッチする場合には、カーソルがユーザの指の真下に表示される。タッチスクリーンに表示されるカーソル及び種々のアイテムは、今や、おそらく、ユーザの指で遮られるので、一実施形態によれば、カーソルを含めて、タッチスクリーンに表示されるアイテムは、自動的にシフト又はスクロールされ、カーソルは、今や、ユーザがタッチスクリーンにタッチした物理的位置からオフセットされる。例えば、一実施形態では、タッチスクリーンに表示される全てのアイテムが上方にシフト又はスクロールされる。或いは又、例えば、ユーザがスクリーンの上縁付近でタッチスクリーンにタッチする場合には、表示されるアイテムが下方及び／又は左又は右にシフトされる。同時に、一実施形態では、タッチスクリーンに表示されるアイテムは、データ入力を更に容易にするために拡大されてもよい。
【００１２】
１つの態様によれば、タッチ感知入力装置を経てのデータ入力を容易にするための方法が提供される。一実施形態では、この方法は、（１）タッチ感知入力装置上の物理的位置でユーザからの触覚入力を検出し、（２）その物理的位置の近くでタッチ感知入力装置上の相対的位置にカーソルを表示し、そして（３）更なるユーザ対話を伴わずに、タッチ感知入力装置に表示された１つ以上のアイテムを並進移動して、カーソルの相対的位置を、検出された触覚入力の物理的位置からオフセットさせることを含む。
【００１３】
一実施形態において、この方法は、更に、タッチ感知入力装置に表示された１つ以上のアイテム間の距離を決定することも含む。この実施形態において、タッチ感知入力装置に表示されたアイテムは、その距離が所定のスレッシュホールド（例えば、平均的な指先の巾の規定部分）より小さいときだけ並進移動される。
【００１４】
別の実施形態において、この方法は、更に、タッチ感知入力装置の垂直方向のどちらの半分（例えば、上又は下）、水平方向のどちらの半分（例えば、左又は右）、或いはどちらの象限（例えば、左上、右上、左下、又は右下）に物理的位置が入るか決定することも含む。これらの実施形態では、タッチ感知入力装置に表示されたアイテムを並進移動することは、物理的位置が入る半分又は象限に基づいて、アイテムを上方、下方、左、右、又はその組合せでシフトすることを含む。
【００１５】
別の態様によれば、タッチ感知入力装置を経てのデータ入力を容易にするための装置が提供される。一実施形態において、この装置は、（１）タッチ感知入力装置上の物理的位置においてユーザからの触覚入力を検出し、（２）その物理的位置の近くでタッチ感知入力装置上の相対的位置にカーソルを表示し、そして（３）更なるユーザ対話を伴わずに、タッチ感知入力装置に表示された１つ以上のアイテムを並進移動して、カーソルの相対的位置を、検出された触覚入力の物理的位置からオフセットさせる、というように構成されたプロセッサを備えている。
【００１６】
更に別の態様によれば、タッチ感知入力装置を経てのデータ入力を容易にするためのコンピュータプログラム製品が提供される。このコンピュータプログラム製品は、コンピュータ読み取り可能なプログラムコード部分が記憶された少なくとも１つのコンピュータ読み取り可能な記憶媒体を含む。一実施形態のコンピュータ読み取り可能なプログラムコード部分は、（１）タッチ感知入力装置上の物理的位置でユーザからの触覚入力を検出するための第１の実行可能な部分と、（２）その物理的位置の近くでタッチ感知入力装置上の相対的位置にカーソルを表示するための第２の実行可能な部分と、（３）更なるユーザ対話を伴わずに、タッチ感知入力装置に表示された１つ以上のアイテムを並進移動して、カーソルの相対的位置を、検出された触覚入力の物理的位置からオフセットさせるための第３の実行可能な部分と、を備えている。
【００１７】
別の態様によれば、タッチ感知入力装置を経てのデータ入力を容易にするための装置が提供される。一実施形態において、この装置は、（１）タッチ感知入力装置上の物理的位置でユーザからの触覚入力を検出するための手段と、（２）その物理的位置の近くでタッチ感知入力装置上の相対的位置にカーソルを表示するための手段と、更なるユーザ対話を伴わずに、タッチ感知入力装置に表示された１つ以上のアイテムを並進移動して、カーソルの相対的位置を、検出された触覚入力の物理的位置からオフセットさせるための手段と、を備えている。
【００１８】
本発明を一般的に上述したが、必ずしも正しいスケールで描かれていない添付図面を参照して、以下に詳細に説明する。
【図面の簡単な説明】
【００１９】
【図１】本発明の一実施形態により動作することのできる移動ステーションのブロック回路図である。
【図２】本発明の一実施形態により、タッチ感知入力装置を経ての電子装置へのデータ入力を容易にするために行われるオペレーションを示すフローチャートである。
【図３Ａ】本発明の一実施形態により、ユーザによる検出された触覚入力に応答してタッチスクリーンを上方にスクロールすることによりデータ入力を容易にするための技術を示す電子装置タッチスクリーンのスクリーンショットである。
【図３Ｂ】本発明の一実施形態により、ユーザによる検出された触覚入力に応答してタッチスクリーンを上方にスクロールすることによりデータ入力を容易にするための技術を示す電子装置タッチスクリーンのスクリーンショットである。
【図３Ｃ】本発明の一実施形態により、ユーザによる検出された触覚入力に応答してタッチスクリーンを上方にスクロールすることによりデータ入力を容易にするための技術を示す電子装置タッチスクリーンのスクリーンショットである。
【図４Ａ】本発明の別の実施形態により、タッチスクリーン上のカーソルの配置を位置付けし直す技術を示す電子装置タッチスクリーンの付加的なスクリーンショットである。
【図４Ｂ】本発明の別の実施形態により、タッチスクリーン上のカーソルの配置を位置付けし直す技術を示す電子装置タッチスクリーンの付加的なスクリーンショットである。
【図４Ｃ】本発明の別の実施形態により、タッチスクリーン上のカーソルの配置を位置付けし直す技術を示す電子装置タッチスクリーンの付加的なスクリーンショットである。
【図５Ａ】本発明の一実施形態により、ユーザによる検出された触覚入力に応答してタッチスクリーンを左へスクロールすることによりデータ入力を容易にするための技術を示す電子装置タッチスクリーンのスクリーンショットである。
【図５Ｂ】本発明の一実施形態により、ユーザによる検出された触覚入力に応答してタッチスクリーンを左へスクロールすることによりデータ入力を容易にするための技術を示す電子装置タッチスクリーンのスクリーンショットである。
【図６Ａ】本発明の更に別の実施形態により、ユーザによる検出された触覚入力に応答して、タッチスクリーンを上方にスクロールすると共に、タッチスクリーンに表示されたアイテムを拡大することにより、データ入力を容易にするための技術を示す電子装置タッチスクリーンのスクリーンショットである。
【図６Ｂ】本発明の更に別の実施形態により、ユーザによる検出された触覚入力に応答して、タッチスクリーンを上方にスクロールすると共に、タッチスクリーンに表示されたアイテムを拡大することにより、データ入力を容易にするための技術を示す電子装置タッチスクリーンのスクリーンショットである。
【発明を実施するための形態】
【００２０】
本発明の実施形態は、発明の全実施形態ではなく幾つかの実施形態が示された添付図面を参照して以下に詳細に説明する。実際に、本発明の実施形態は、多くの異なる形態で実施することができ、ここに示す実施形態に限定されると解釈されてはならず、むしろ、これらの実施形態は、この開示が、適用される法的要件を満足するように、準備されたものである。全体を通じて同じ要素は、同じ番号で示す。
【００２１】
概略
一般的に、本発明の実施形態は、タッチ感知入力装置を経ての電子装置へのデータ入力を容易にするための方法、装置及びコンピュータプログラム製品を提供する。上述したように、一実施形態によれば、ユーザが自分の指をタッチスクリーンに置いたとき、ユーザがタッチスクリーンにタッチした物理的位置の近くで且つタッチスクリーン上に表示される他のアイテムに対する位置においてタッチスクリーンにカーソルが表示される。タッチスクリーン上に表示されるアイテムが互いに接近している場合には、カーソル、及びカーソルが上又は中に置かれるアイテム（１つ又は複数）が、おそらく、ユーザの指で遮られる。その結果、一実施形態では、カーソルを含めて、タッチスクリーンに表示されるアイテムは、次いで、１つ以上の方向にシフト又はスクロールされ、カーソルは、タッチスクリーン上に表示される他のアイテムに対するその位置を維持しながら、ユーザがタッチスクリーンにタッチした物理的位置から今やオフセットされる。
【００２２】
例えば、一実施形態では、タッチスクリーンに表示される全てのアイテムが上方にシフト又はスクロールされる。或いは又、例えば、ユーザがタッチスクリーンの右上角の付近でタッチスクリーンにタッチする場合には、表示されるアイテムが下方及び／又は左へシフトされる。一実施形態では、タッチスクリーンに表示されるアイテムは、データ入力を更に容易にするために拡大することもできる。この点において、ユーザは、カーソルが自分の意図した位置に置かれていないと分かると、一実施形態によれば、ユーザは、タッチスクリーンに表示される他のアイテムに対してカーソルを位置付けし直すために、自分の指を若干シフトさせる（例えば、指を左、右、上又は下へ傾斜させる）ことができる。
【００２３】
電子装置
本発明の実施形態から利益が得られる一形式の電子装置を示す図１について説明する。図示されたように、電子装置は、移動ステーション１０、特に、セルラー電話である。しかしながら、図示して以下に述べる移動ステーションは、本発明から利益が得られる電子装置の一形式を単に例示するもので、それ故、本発明の範囲をそれに限定するものではない。移動ステーション１０の多数の実施形態を図示して、以下に例示するが、他の形式の移動ステーション、例えば、パーソナルデジタルアシスタント（ＰＤＡ）、ページャー、ラップトップコンピュータ、並びに移動のワイヤレス装置及び固定のワイヤライン装置の両方を含む他の形式の電子システムも、本発明の実施形態を容易に利用できる。
【００２４】
移動ステーションは、適当にプログラムされたプロセッサのような、特にここに図示して説明するものを含めて、本発明の実施形態による１つ以上の機能を遂行するための種々の手段を備えている。しかしながら、本発明の精神及び範囲から逸脱せずに、１つ以上の同様の機能を遂行するための別の手段を１つ以上のエンティティが含んでもよいことを理解されたい。より詳細には、例えば、図２に示すように、アンテナ３０２に加えて、移動ステーション１０は、送信器３０４と、受信器３０６と、各々送信器３０４及び受信器３０６へ信号を供給し且つそこから信号を受信する処理装置３０８のような手段、例えば、プロセッサ、コントローラ、等を備えている。これらの信号は、適用可能なセルラーシステムのエアインターフェイス規格に基づくシグナリング情報と、ユーザスピーチ及び／又はユーザ発生データとを含む。この点に関して、移動ステーションは、１つ以上のエアインターフェイス規格、通信プロトコル、変調形式、及びアクセス形式で動作することができる。より詳細には、移動ステーションは、多数の、第２世代（２Ｇ）、２．５Ｇ及び／又は第３世代（３Ｇ）通信プロトコル等のいずれかに基づいて動作することができる。更に、例えば、移動ステーションは、ブルーツース、ＩＥＥＥ８０２．１１  ＷＬＡＮ（又はＷｉ−Ｆｉ（登録商標））、ＩＥＥＥ８０２．１６  ＷｉＭＡＸ、ウルトラワイドバンド（ＵＷＢ）、等を含めて、多数の異なるワイヤレスネットワーキング技術のいずれかに基づいて動作することができる。
【００２５】
プロセッサ、コントローラ、又は他のコンピューティング装置のような処理装置３０８は、移動ステーションのビデオ、オーディオ、及びロジック機能を具現化するのに必要な回路を含み、且つここに述べる機能を具現化するためのアプリケーションプログラムを実行することができることを理解されたい。例えば、処理装置は、デジタル信号プロセッサ装置、マイクロプロセッサ装置、並びに種々のアナログ／デジタルコンバータ、デジタル／アナログコンバータ、及び他のサポート回路を含む種々の手段で構成することができる。移動装置の制御及び信号処理機能は、これらの装置間でその各能力に基づいて割り当てられる。従って、処理装置３０８は、変調及び送信の前にメッセージ及びデータをコンボリューション的にエンコードしインターリーブする機能も含む。処理装置は、更に、内部ボイスコーダ（ＶＣ）３０８Ａを含むことができると共に、内部データモデム（ＤＭ）３０８Ｂを含んでもよい。更に、処理装置３０８は、メモリに記憶される１つ以上のソフトウェアアプリケーションを動作する機能も含む。例えば、コントローラは、従来のウェブブラウザのような接続プログラムを動作することができる。この接続プログラムは、移動ステーションが、例えば、ＨＴＴＰ及び／又はワイヤレスアプリケーションプロトコル（ＷＡＰ）に基づいて、ウェブコンテンツを送信及び受信できるようにする。
【００２６】
又、移動ステーションは、例えば、従来のイヤホン又はスピーカ３１０、リンガー３１２、マイクロホン３１４、ディスプレイ３１６を含むユーザインターフェイスのような手段も備え、それらは全てコントローラ３０８へ結合される。移動装置がデータを受け取れるようにするユーザ入力インターフェイスは、移動装置がデータを受け取れるようにする多数の装置、例えば、キーパッド３１８、マイクロホン３１４、タッチ感知ディスプレイ又はタッチスクリーン３２６、又は他の入力装置のいずれを含んでもよい。キーパッドを含む実施形態では、キーパッドは、従来の数字（０−９）及び関連キー（＃、＊）、並びに移動ステーションを動作するのに使用される他のキーを含むことができ、又、アルファニューメリックキーの全セット、又はアルファニューメリックキーの全セットを与えるようにアクチベートできるキーのセットを含んでもよい。図示されていないが、移動ステーションは、これを動作するに必要な種々の回路に通電すると共に、任意であるが、機械的振動を検出可能な出力として与えるための振動バッテリパックのようなバッテリを備えてもよい。
【００２７】
又、移動ステーションは、典型的に移動加入者に関連した情報エレメントを記憶する、例えば、加入者アイデンティティモジュール（ＳＩＭ）３２０、取り外し可能なユーザアイデンティティモジュール（Ｒ−ＵＩＭ）（図示せず）等を含むメモリのような手段を含むこともできる。ＳＩＭに加えて、移動装置は、他のメモリを含むことができる。この点に関して、移動ステーションは、埋め込むことができ及び／又は取り外し可能でもよい揮発性メモリ３２２及び他の不揮発性メモリ３２４を備えることができる。例えば、他の不揮発性メモリは、埋め込み型又は取り外し可能なマルチメディアメモリカード（ＭＭＣ）、セキュアなデジタル（ＳＤ）メモリカード、メモリスティック、ＥＥＰＲＯＭ、フラッシュメモリ、ハードディスク、等でよい。メモリは、移動ステーションの機能を具現化するために移動ステーションにより使用される情報及びデータの任意の数の断片又は任意の量を記憶することもできる。例えば、メモリは、移動装置を独特に識別することのできる識別子、例えば、国際移動装置識別（ＩＭＥＩ）コード、国際移動加入者識別（ＩＭＳＩ）コード、移動装置サービス総合デジタル網（ＭＳＩＳＤＮ）コード、等を記憶することができる。又、メモリは、コンテンツを記憶することもできる。メモリは、例えば、アプリケーション及び他のコンピュータプログラムのためのコンピュータプログラムコードを記憶することもできる。例えば、以下に詳細に述べるように、一実施形態では、メモリは、（例えば、ユーザがタッチスクリーン３２６に自分の指を置いたとき）移動ステーション１０のタッチスクリーン３２６の物理的位置においてユーザからの触覚入力を検出し、その物理的位置に近いタッチスクリーン３２６上の相対的位置にカーソルを表示し、そしてユーザの対話を伴わずに、タッチスクリーン３２６に表示された１つ以上のアイテムを並進移動して、カーソルの相対的位置を、検出された触覚入力の物理的位置からオフセットさせるようにするためのコンピュータプログラムコードを記憶することができる。
【００２８】
本発明の実施形態の方法、装置及びコンピュータプログラム製品は、主として、移動通信アプリケーションに関連して説明する。しかしながら、本発明の実施形態の方法、装置及びコンピュータプログラム製品は、移動通信産業及びそれ以外の種々の他のアプリケーションに関連して利用できることも理解されたい。例えば、本発明の実施形態の方法、装置及びコンピュータプログラム製品は、ワイヤライン及び／又はワイヤレスネットワーク（例えば、インターネット）アプリケーションに関連して利用することができる。
【００２９】
タッチスクリーンを経てのデータ入力を容易にする方法
タッチ感知入力装置又はタッチスクリーンを経ての電子装置へのデータ入力を容易にするために本発明の実施形態により実行されるオペレーションを示した図２について説明する。図示されたように、このプロセスは、電子装置、より典型的には、電子装置のプロセッサで実行されるソフトウェアが電子装置のタッチスクリーンにおいて触覚入力を検出したとき、例えば、ユーザが自分の指をタッチスクリーンに置いたときに開始し（ブロック２０１）、そして触覚入力の物理的位置を決定する（ブロック２０２）。電子装置は、当業者に知られた多数の技術を経て、触覚入力を検出し、その位置を決定する。例えば、タッチスクリーンは、スペーサにより離間状態に保持された２枚の層を備え、それらの間に電流が流れる。ユーザがタッチスクリーンにタッチすると、２枚の層が接触し、接触点において電流の変化を生じさせる。電子装置は、電流の変化に注目し（ブロック２０１を遂行するために）、及び接触点の座標に注目する（ブロック２０２を遂行するために）。或いは又、タッチスクリーンが、抵抗性システムではなく容量性システムを使用して、接触入力を検出する場合には、タッチスクリーンは、電荷を蓄積する層を含む。ユーザがタッチスクリーンにタッチすると、その層からの幾つかの電荷がユーザへ転送され、容量性層の電荷を減少させる。電荷の減少を測定する回路をタッチスクリーンの各角に配置し、各角で測定された電荷の相対的な差に基づいて触覚入力の厳密な位置を計算することができる。本発明の実施形態は、他の形式のタッチスクリーン、例えば、抵抗性、容量性、赤外線、歪計、表面波、光学像形成、分散信号技術、音響パルス確認、或いは他の技術のいずれかによりタッチ確認を行い、次いで、タッチの位置を表す信号を発生するように構成されたタッチスクリーンを使用することができる。
【００３０】
一実施形態では、触覚入力の物理的位置の決定は、入力の正確な位置（例えば、位置の座標）を決定するだけでなく、タッチスクリーンのどちらの半分及び／又はどちらの象限に物理的位置が入るか決定することも含む。より詳細には、タッチスクリーンは、上半分及び下半分を含む垂直方向の半分、左半分及び右半分を含む水平方向の半分、及び／又は左上、右上、左下及び右下象限を含む象限へと分割することができ、そして触覚入力の物理的位置は、これらの半分及び／又は象限の１つに入る。一実施形態では、ユーザが２つの半分又は象限の間でタッチスクリーンに直接タッチする場合にデフォールト位置が保持されてもよい。例えば、タッチスクリーンが垂直方向の半分（即ち、上半分及び下半分）に分割される場合に、２つの半分の間で直接検出された入力を、下半分内で生じたものとして処理することができる。同様に、タッチスクリーンが水平方向の半分（即ち、左及び右）に分割される場合には、デフォールトは、２つの半分の間で直接検出された入力を、右半分内で生じたものとして処理することができる。
【００３１】
図２に戻ると、触覚入力が検出されそしてその物理的位置が決定されると、電子装置、及びより典型的には、電子装置のプロセッサで実行されるソフトウェアは、ブロック２０３において、ブロック２０２で決定された物理的位置の近くでタッチスクリーンに表示される１つ以上のアイテムに対する位置（即ち、「相対的位置」）においてタッチスクリーンにカーソルを表示する。換言すれば、ユーザがスクリーンにタッチしたスポットにおいてタッチスクリーンにカーソルが表示される。例えば、タッチスクリーンがテキストドキュメント又はメッセージを表示する場合には、ユーザがスクリーンにタッチしたスポットにおいてテキストドキュメント又はメッセージに表示される文字に対してカーソルが表示される。
【００３２】
タッチスクリーンに表示される各アイテム間の距離は、ブロック２０４において、電子装置、及びより典型的には、電子装置のプロセッサで実行されるソフトウェアにより計算されるか、さもなければ、決定される。この距離は、電子装置、及びより典型的には、電子装置のプロセッサで実行されるソフトウェアにより、所定のスレッシュホールドと比較され、このスレッシュホールドは、タッチスクリーンに表示されたドキュメント又は他のアイテム（１つ又は複数）内で厳密にどこにカーソルを置くよう試みるかユーザに容易に分かるように、タッチスクリーンのコンテンツをシフトする必要があるか、さもなければ、それが望ましいか決定するのに使用される（ブロック２０５）。より詳細には、アイテムが充分に離間されている（例えば、間隔が、平均的な人の指の巾の１／２のような所定の割合、又は２ｃｍのような規定量よりも大きい）場合には、表示されたアイテムに対してカーソルをどこに置くかユーザにとって明らかである。これに対して、アイテムが充分に離間されていない（例えば、間隔が、平均的な人の指の巾の１／２未満、又は２ｃｍ未満である）場合には、多数のアイテム（例えば、ワード及び／又はワードの文字）がユーザの指で遮られ、これらのアイテムに対してユーザがどこにカーソルを置くか知ることが困難である。従って、ブロック２０５では、電子装置、及びより典型的には、電子装置のプロセッサで実行されるソフトウェアは、ブロック２０４で計算された距離が所定のスレッシュホールド（例えば、平均的な人の指の巾の１／２又は２ｃｍ）未満であるかどうか決定する。もしそうでなければ、プロセスは、ブロック２０１へ戻り、その後の触覚入力又はタッチスクリーン上でのユーザの指の配置がタッチスクリーンにより検出される。
【００３３】
他方、タッチスクリーンに表示された種々のアイテム間の計算された距離の少なくとも１つがスレッシュホールド未満であって、ユーザがタッチスクリーンにタッチするときに多数のアイテムがユーザの指で遮られることを指示する場合には、プロセスがブロック２０６へ続き、電子装置、及び特に、電子装置において動作するプロセッサで実行されるソフトウェアが、タッチスクリーンに表示されたアイテム（例えば、アイコン、ドキュメントのワード、等）をシフトして、カーソルが、タッチスクリーンに表示される他のアイテムに対するオリジナル位置では見えるが、ユーザがタッチスクリーンにタッチした物理的位置からオフセットされるようにする。このように、カーソルは、ユーザの指がタッチスクリーン上にまだ置かれている間に見ることができる。
【００３４】
ここに示す実施形態では、タッチスクリーン上に表示されたアイテムをシフトすることは、検出された触覚入力の物理的位置が入る半分及び／又は象限（ブロック２０２で決定された）に基づいて、スクリーンを上方、下方、左、右、又はその組合せでスクロールすることを含む。例えば、ユーザの入力がタッチスクリーンの下半分で検出された場合には、タッチスクリーン全体を「上方にスクロール」し、即ちタッチスクリーン上に表示された全アイテムを上方に変位させる。或いは又、タッチスクリーンの左上角で入力が検出されて、アイテムを上方に表示してもカーソルが表示されない場合には、表示されるアイテムを下方及び／又は右へシフトすることができる。一実施形態では、測定されている２つの半分及び／又は象限の中央で触覚入力が直接検出されるときに何をすべきか定義するために、デフォールト設定を確立することができる。例えば、上述したように、デフォールトは、垂直方向の半分と半分との間にユーザの指を直接配置したときに、それを下半分に配置したと解釈し、それ故、タッチスクリーンのコンテンツを上方にシフトすることができる。更に別の実施形態では、デフォールトは、ユーザが自分の指をタッチスクリーンの上部先縁に置かない限りタッチスクリーンを常に上方にスクロール又はシフトし、この場合、タッチスクリーンのコンテンツは、下方及び／又は左又は右にスクロール又はシフトされる。当業者であれば、タッチスクリーンのコンテンツをどの方向にシフトすべきか決定する多数の方法を、本発明の実施形態の精神及び範囲から逸脱せずに使用できることが明らかであろう。
【００３５】
例えば、図３Ａ−３Ｃは、電子装置のタッチスクリーンのスクリーンショットであり、本発明の一実施形態によりテキストドキュメントにカーソルが配置されたところを示す。より詳細には、図３Ａは、この実施形態においてユーザが訂正したいミススペルのあるワード“ａｓｐｅｔｃｓ”を含むテキストドキュメントを表示しているタッチスクリーンを示す。このようにするために、ユーザは、図３Ｂに示すように、ミススペルのあるワードが表示された位置の上でタッチスクリーンに自分の指を置く。図示されたように、ユーザは、このようにするとき、ワード“ａｓｐｅｔｃｓ”又はそれを取り巻く多数のワードをもはや見ることができず、それ故、そのワード内の正しい場所（例えば、“ｅ”と“ｔ”との間）であることは言うまでもなく、そのワード上にカーソルを置いたかどうかも分からない。正しい位置にユーザがカーソルを置くのを容易にするために、図３Ｃに示す一実施形態によれば、全テキストドキュメントが自動的に（即ち、ユーザとの更なる対話なしに）上方にスクロール又はシフトされ、カーソルは、もはやユーザの指で遮られない。これで、ユーザは、ワード“ａｓｐｅｔｃｓ”の“ｃ”と“ｓ”との間にカーソルを置いたことが分かる。
【００３６】
この点において、例えば、ユーザがワード“ａｓｐｅｔｃｓ”の“ｃ”と“ｔ”との間にカーソルを置くことを好むために、このカーソルの配置で不満である場合には、一実施形態により、ユーザは、図４Ａ−４Ｃに示すように、カーソルを位置付けし直すことができる。図３Ｃと同じである図４Ａは、ユーザが自分の指の下からカーソルの配置を見ることができるように、ユーザがタッチスクリーンにタッチした物理的位置の若干上にオフセットされて、タッチスクリーン上に表示されたアイテム（即ち、テキストドキュメントのワード及び文字）に対する位置においてカーソルの配置を再び示している。図４Ｂに示すように、次いで、カーソルを希望の位置へ移動するために、ユーザは、自分の指を上方、下方、右、又はこの例では左へ単にシフト又は傾斜させ、カーソルをその方向に移動させることができる。カーソルが希望の位置に配置されると、ユーザは、次いで、図４Ｃに示すように、タッチスクリーンから自分の指を持ち上げ、カーソルは、タッチスクリーンに表示されたアイテムに対してその位置に留まるが、表示された全てのアイテム（例えば、カーソルを含むテキストドキュメント）は、タッチスクリーン上のオリジナル位置へ戻ることができる（例えば、下方へスクロールバック）。
【００３７】
デフォールト設定は、上述したように、カーソルを表示するためにタッチスクリーンのコンテンツを上方にスクロールすることができるが、ある場合には、タッチスクリーンに対するユーザの指の配置のために、これを行えないか或いはこれが理想的ではないことがある。特に、タッチスクリーンは、垂直方向の半分（即ち、上及び下）、水平方向の半分（即ち、左及び右）、及び／又は象限（即ち、左上、右上、左下、及び右下）へと分割され、そしてユーザが自分の指を置く半分及び／又は象限に基づいて、タッチスクリーンが適宜にスクロール又はシフトする。これを示すために、図５Ａ及び５Ｂは、タッチスクリーンの右上角に表示されたワード（即ち、“Commerce”）内にユーザがカーソルを置きたい場合を例示している。この場合には、タッチスクリーンのコンテンツを上方にシフトすることはできない。その結果、図５Ｂに示すように、タッチスクリーンのコンテンツは、むしろ、左へシフト又はスクロールされ、カーソルと、タッチスクリーンに表示された他のワード及び文字に対するその位置を、今や、ユーザの指の左側に見えるようにする。タッチスクリーンの左上、左下、又は右下に表示されたアイテムにユーザがカーソルを置きたい場合にも同様のシナリオが示される。
【００３８】
図６Ａ及び６Ｂに示された別の実施形態では、タッチスクリーンに表示されたアイテムに対するカーソルの相対的な位置が、ユーザがタッチスクリーンにタッチした物理的位置からオフセットされるように、タッチスクリーンに表示されたアイテムをシフトするのに加えて、タッチスクリーンのコンテンツを拡大して、データ入力を更に容易にする。
【００３９】
以上の説明に基づき、本発明の実施形態は、タッチ感知入力装置を経ての電子装置へのデータ入力を容易にするための技術であって、タッチスクリーンに表示されるアイテムに対するカーソルの配置が、その配置中に、ユーザの指により遮られないように、タッチスクリーンのコンテンツをシフト又はスクロールする技術を提供する。
【００４０】
結論
上述したように、又、当業者に明らかなように、本発明の実施形態は、方法及び装置として構成することができる。従って、本発明の実施形態は、全部ハードウェア、全部ソフトウェア、又はソフトウェア及びハードウェアの組合せを含む種々の手段で構成される。更に、本発明の実施形態は、コンピュータ読み取り可能なプログラムインストラクション（例えば、コンピュータソフトウェア）が埋め込まれたコンピュータ読み取り可能な記憶媒体におけるコンピュータプログラム製品の形態をとることができる。ハードディスク、ＣＤ−ＲＯＭ、光学記憶装置、又は磁気記憶装置を含む適当なコンピュータ読み取り可能な記憶媒体を利用することができる。
【００４１】
方法、装置（即ち、システム）及びコンピュータプログラム製品のブロック図及びフローチャートを参照して本発明の実施形態を以上に述べた。ブロック図及びフローチャートの各ブロック、並びにブロック図及びフローチャートにおけるブロックの組合せは、各々、コンピュータプログラムインストラクションを含む種々の手段によって実施できることを理解されたい。これらコンピュータプログラムインストラクションは、汎用コンピュータ、特殊目的コンピュータ、又は他のプログラム可能なデータ処理装置にロードされて、マシンを形成し、コンピュータ又は他のプログラム可能なデータ処理装置において実行されるインストラクションは、フローチャートのブロック（１つ又は複数）において指定される機能を具現化するための手段を生成する。
【００４２】
又、これらコンピュータプログラムインストラクションは、特定の仕方で機能するようにコンピュータ又は他のプログラム可能なデータ処理装置を導くことのできるコンピュータ読み取り可能なメモリに記憶することもでき、コンピュータ読み取り可能なメモリに記憶されたインストラクションは、フローチャートのブロック（１つ又は複数）で指定された機能を具現化するためのコンピュータ読み取り可能なインストラクションを含む製造物品を形成する。又、コンピュータプログラムインストラクションは、コンピュータ又は他のプログラム可能なデータ処理装置にもロードされ、一連のオペレーションステップをそのコンピュータ又は他のプログラム可能な装置において遂行させて、コンピュータ実施プロセスを形成し、コンピュータ又は他のプログラム可能な装置で実行されるインストラクションが、フローチャートのブロックで指定された機能を具現化するためのステップを与えるようにする。
【００４３】
従って、ブロック図及びフローチャートのブロックは、指定の機能を遂行するための手段の組合せ、指定の機能を遂行するためのステップの組合せ、及び指定の機能を遂行するためのプログラムインストラクション手段をサポートする。又、ブロック図及びフローチャートの各ブロック、並びにブロック図及びフローチャートにおけるブロックの組合せは、指定の機能又はステップ、或いは特殊目的ハードウェア及びコンピュータインストラクションの組合せを遂行する特殊目的ハードウェアベースのコンピュータシステムにより実施できることも理解されよう。
【００４４】
前記説明及び添付図面に提示された教示の利益を得る本発明の実施形態に係る当業者であれば、ここに述べた本発明の多数の変更及び他の実施形態が明らかであろう。例えば、種々の実施形態は、ユーザの指を使用してアイテムを選択することについて説明したが、スタイラス、鉛筆、等の他の選択装置も同様に使用することができる。それ故、本発明の実施形態は、ここに開示した特定の実施形態に限定されず、又、それら変更及び他の実施形態が、特許請求の範囲内に包含されることを理解されたい。ここでは、特定の用語を使用したが、それらは、一般的な説明的な意味で使用されたに過ぎず、それに限定するものではない。
【符号の説明】
【００４５】
１０：移動ステーション
３０２：アンテナ
３０４：送信器
３０６：受信器
３０８：処理装置
３１０：スピーカ
３１２：リンガー
３１４：マイクロホン
３１６：ディスプレイ
３１８：キーパッド
３２０：加入者アイデンティティモジュール（ＳＩＭ）
３２２：揮発性メモリ
３２４：不揮発性メモリ
３２６：タッチスクリーン
【図１】
2010530109.tif 000002
【図２】
2010530109.tif 000003
【図３Ａ】
2010530109.tif 000004
【図３Ｂ】
2010530109.tif 000005
【図３Ｃ】
2010530109.tif 000006
【図４Ａ】
2010530109.tif 000007
【図４Ｂ】
2010530109.tif 000008
【図４Ｃ】
2010530109.tif 000009
【図５Ａ】
2010530109.tif 000010
【図５Ｂ】
2010530109.tif 000011
【図６Ａ】
2010530109.tif 000012
【図６Ｂ】
2010530109.tif 000013
【国際調査報告】
2010530109.tif 000014
2010530109.tif 000015
2010530109.tif 000016